(57)【特許請求の範囲】
【請求項１】
シリンダと、該シリンダの一端に設けられた注ぎ管と、前記シリンダ内に摺動可能に挿入され前記シリンダ内壁との間に適切な摩擦力を有した逆動防止ピストンと、前記シリンダ内に摺動可能に挿入され前記シリンダ内壁との間に適切な摩擦力を有した押圧ピストンと、一端が該押圧ピストンに固定され他端が前記シリンダの他端から突出したピストンロッドと、前記注ぎ管に被せられ先端が閉鎖部とされた中空管状のキャップとを備え、
前記シリンダの一端と前記逆動防止ピストンとの間に薬剤が充填され、前記押圧ピストンには該押圧ピストンと前記逆動防止ピストンとの間の空間を外部に連通する連通部が設けられ、前記キャップは前記閉鎖部を切り落とし可能にされたことを特徴とする医科歯科治療用の薬剤滴下塗布器。
【請求項２】
前記キャップは、先端へ行くほど細くなっていて、先端の閉鎖部を切り落とすときの切断位置により、薬剤滴下量を調節可能としたことを特徴とする請求項１に記載の医科歯科治療用の薬剤滴下塗布器。
【請求項３】
前記注ぎ管は前記シリンダの中心線から一方側へ曲がっていることを特徴とする請求項１又は２に記載の医科歯科治療用の薬剤滴下塗布器。
【発明の詳細な説明】
【０００１】
【発明の属する技術分野】
本発明は、医科歯科治療に際して、口腔内等の非常に狭い部位に薬剤を正確に滴下塗布するための薬剤滴下塗布器に関する。
【０００２】
【従来の技術】
従来、歯科治療において、たとえば、口腔内の一部を局所麻酔するために比較的粘性の高い麻酔剤を塗布するような場合には、細い棒の先端に取り付けた綿球に麻酔剤を付着させ、この綿球を所望の部位に押し当てることにより、麻酔剤を塗布していた。
【０００３】
【発明が解決しようとする課題】
しかし、前述のような方法では、粘性の高い麻酔剤であると、綿球から麻酔剤が離れにくいうえ、綿球が必用以上の広い範囲に接触したりするので、麻酔剤を所望の部位のみに適切な量だけ塗布することは困難であった。しかも、この方法では、綿球に多量の麻酔剤が残ってしまい、不経済でもあった。
【０００４】
このような問題を解消するために、発明者は、図２に示したようなデンタルシリンジ１０を用いて、薬剤滴下塗布の実験をしてみた。デンタルシリンジ１０は、シリンダ１と、シリンダ１の一端８に設けられた注ぎ管２と、シリンダ１内に摺動可能に挿入され前記シリンダ１内壁との間に適切な摩擦力を有し所定以上の力で押されない限り移動しないピストン３と、一端９がピストン３に固定され他端がシリンダ１の他端から突出した断面十字形のピストンロッド４と、シリンダ１の他端およびピストンロッド４の他端に夫々設けられた指掛け部５、６からなっている。
【０００５】
ここで、シリンダ１の一端８とピストン３との間に麻酔剤等の薬剤７を充填し、この注ぎ管２の先端を口腔内の所望の部位に近接させてから、両指掛け部５、６間に力を加えることにより、ピストン３を押し込んで、薬剤７を滴下塗布させる。すると、容易に所望の狭い部位に正確に必要なだけの薬剤７を滴下塗布することができ、しかも使用する薬剤７を１／４程度に減らすことができ、極めて経済的であった。
【０００６】
しかしながら、前述のようなデンタルシリンジ１０を用いると、口腔内には病原菌が存在することがあり、デンタルシリンジ１０を介して病原菌の院内感染が発生する恐れがある。このため、デンタルシリンジ１０を使用の前後に消毒する必要があり、また、誤ってピストンロッドを引いてしまうと、唾液とともに病原菌を注ぎ管２から吸い込んでしまう恐れがあり、非常に慎重に薬剤滴下塗布作業をしなければならず、この作業が煩わしいという問題があった。
【０００７】
そこで、所望の狭い部位に正確に必要なだけの薬剤を容易に滴下塗布できるようにするとともに、病原菌の院内感染を起こしにくくした安全な薬剤滴下塗布器を提供する。
【０００８】
【課題を解決するための手段】
上記の課題を達成するため、請求項１に係る発明の医科歯科治療用の薬剤滴下塗布器では、シリンダと、該シリンダの一端に設けられた注ぎ管と、前記シリンダ内に摺動可能に挿入され前記シリンダ内壁との間に適切な摩擦力を有した逆動防止ピストンと、前記シリンダ内に摺動可能に挿入され前記シリンダ内壁との間に適切な摩擦力を有した押圧ピストンと、一端が該押圧ピストンに固定され他端が前記シリンダの他端から突出したピストンロッドと、前記注ぎ管に被せられ先端が閉鎖部とされた中空管状のキャップとを備え、前記シリンダの一端と前記逆動防止ピストンとの間に薬剤が充填され、前記押圧ピストンには該押圧ピストンと前記逆動防止ピストンとの間の空間を外部に連通する連通部が設けられ、前記キャップは前記閉鎖部を切り落とし可能にされたことを特徴とする。
【００１１】
請求項２に係る発明では、請求項１に係る発明において、前記キャップは、先端へ行くほど細くなっていて、先端の閉鎖部を切り落とすときの切断位置により、薬剤滴下量を調節可能としたことを特徴とする。
【００１２】
請求項３に係る発明では、請求項１又は２に係る発明において、前記注ぎ管は前記シリンダの中心線から一方側へ曲がっていることを特徴とする。
【００１４】
【発明の実施の形態】
以下、本発明の好ましい実施の形態について、添付図面を参照して詳細に説明する。
【００１５】
図１に示した本発明の一実施例の薬剤滴下塗布器１１は、透明又は半透明の材料からなるシリンダ１と、シリンダ１の一端８に設けられ注ぎ管２と、シリンダ３内壁との間に適切な摩擦力を有しており所定以上の力で押されない限り移動しないゴム製の逆動防止ピストン１２と、シリンダ１内壁と適切な摩擦力を有しており所定以上の力で押されない限り移動しないゴム製の押圧ピストン１３と、押圧ピストン１３に一端９が固定され、他端がシリンダ１の他端から突出した断面十字形のピストンロッド４と、シリンダ１の他端とピストンロッド４の他端に夫々一体的に設けられた指掛け部５、６とからなっている。
【００１６】
押圧ピストン１３には、図１、図３又は図４から分るように、軸方向に沿う溝１８又は孔１９等の連通部が設けてあり、逆流防止ピストン１２と押圧ピストン１３間の空間２０は外部と連通されており、誤ってピストンロッド４が引かれて押圧ピストンが移動しても、空間２０内が負圧にならないように外部から空気が流入するようにして、逆流防止ピストン１２が押圧ピストン１３とともに移動することを確実に防止している。
【００１７】
注ぎ管２は、シリンダ１と一体に形成され、先端へ行くほど細くなった内径０．１−２．０ｍｍ程度中空管であり、シリンダ１の中心線から約１５−９０°程度、望ましくは３５°程度の方向を向くように円弧状に曲がっており、口腔内の所望の部位に注ぎ管２の先端を近接させ易くなっている。この注ぎ管２の内径は、薬剤７の粘度によって決まり、一般に粘度が低い程細くする。注ぎ管２には、先端が閉鎖部１７とされた中空管状の柔らかい材料のキャップ１５が被せられる。
【００１８】
薬剤７は、シリンダ１の一端８と逆動防止ピストン１２との間に充填される。この薬剤７の充填は衛生的な工場で行う。シリンダ１内には逆動防止ピストン１２が挿入してあるので、薬剤７を使い切った後に、工場に比べて病原菌の存在する可能性の高い病院等においては、薬剤７の再充填が簡単にできないようになっていて、病原菌の院内感染の可能性を少なくしている。
【００１９】
この薬剤滴下塗布器１１は、使用するときは、キャップ１５を外して使用することも可能であるが、通常はキャップ１５を外さずに、キャップ１５の先端の切断線１６ａ又は１６ｂに沿って閉鎖部１７を鋏で切り落とす。この際、粘度の低い薬剤の場合は、切断線１６ａに沿って切断して、開口面積を小さくし、粘度の高い薬剤の場合は、切断線１６ｂに沿って切断して、開口面積を大きくする。キャップ１５の先端を開口させると、キャップ１５の先端を薬剤塗布したい部位に近づけてから、両指掛け部５、６間に力を加える。すると、両指掛け部５、６に加わった力は、ピストンロッド４と押圧ピストン１３を介して、逆動防止ピストン１２を移動させるので、キャップ１５の先端から所望の狭い部位に正確に必要なだけの薬剤７を容易に滴下塗布できる。
【００２０】
この際、誤ってピストンロッド４を引いてしまっても、逆動防止ピストン１２はシリンダ１内壁との摩擦力のため戻らないので、唾液とともに病原菌を吸い込んでしまう恐れがないので、薬剤滴下塗布作業中の過度の負担がなく、この作業を容易に行える。また、使用後のキャップ１５は、先端が開口しているので、使い捨てにしなければならず、使用後は新しいキャップ１５を注ぎ管２に被せる。このため、使用後にキャップ１５及び注ぎ管２をいちいち消毒する煩わしさがなく、キャップ１５に病原菌が付着しても院内感染を防止できる。このように、本実施例の薬剤滴下塗布器１１は、安全で薬剤滴下塗布が容易なものである。
【００２１】
ところで、本発明は、前記実施例に限るものではなく、種々の変形は可能である。たとえば、薬剤としては、歯科用麻酔剤に限らず、種々の治療に用いる任意の薬剤を充填できる。また、逆動防止ピストン１２と押圧ピストン１３は、ゴム製でなくても、プラスチック等の適当な弾性材料でもよく、押圧ピストン１３とピストンロッド４は一体に形成してもよい。さらに、ピストンロッド４の断面は、十字形でなく、円筒形等の適宜形状でもよく、注ぎ管２は、円弧状ではなく、への字状に折り曲げてもよい。
【００２２】
【発明の効果】
以上の説明から明らかなように、請求項１に係る発明の医科歯科治療用の薬剤滴下塗布器においては、薬剤をシリンダの一端と逆動防止ピストンとの間に充填しているので、病院内で薬剤の充填をする必要がなく便利であるうえ、病院内で薬剤を充填することによる院内感染の危険性を小さくできるので安全である。もし、誤ってピストンロッドを引いてしまっても、押圧ピストンに逆動防止ピストンと押圧ピストンとの間の空間を外部に連通する連通部を設けたので、逆動防止ピストンはシリンダ内壁との摩擦力のため戻らず、唾液とともに病原菌をシリンダ内に吸い込んでしまう恐れがなく、この薬剤滴下塗布器を介する病原菌の院内感染をいっそう起こしにくく安全である。また、シリンダ内には逆動防止ピストンが挿入してあるので、薬剤を使いきった後には、病院等において薬剤の再充填が簡単にできないようにして、院内感染の危険性をさらに小さくしている。しかも、この薬剤滴下塗布器には注ぎ管が設けられていて、注ぎ管を所望の部位へ近接できるので、所望の狭い部位に正確に必要なだけの薬剤を容易に滴下塗布できる。
【００２４】
さらに、請求項１に係る発明によれば、使用するときは、キャップを注ぎ管から外さずに、キャップの先端の閉鎖部を切り落として使用し、使用後は新しいキャップに交換できるから、使用後にキャップ及び注ぎ管をいちいち消毒する煩わしさがなく、キャップ又は注ぎ管に不着した病原菌による院内感染を防止でき、安全である。
【００２５】
請求項２に係る発明によれば、さらに、キャップは、先端へ行くほど細くされており、先端の閉鎖部を切り落とすときの切断位置により薬剤滴下塗布量を調節可能にしてあるので、所望の狭い部位に正確に必要なだけの薬剤をいっそう容易に滴下塗布できる。
【００２６】
請求項３に係る発明によれば、さらに、注ぎ管が曲がっているため、キャップ先端を口腔内の所望の部位に近接させ易くなるので、所望の狭い部位に正確に必要なだけの薬剤をいっそう容易に滴下塗布できる。
【図面の簡単な説明】
【図１】本発明の好ましい実施例の薬剤滴下塗布器を示す図である。
【図２】本発明者が最初に思い付いて使用した薬剤滴下塗布器を示す図である。
【図３】図１におけるＡ−Ａ線に沿う断面図である。
【図４】図１におけるＡ−Ａ線に沿う別の実施例の断面図である。
【符号の説明】
１              シリンダ
２              注ぎ管
４              ピストンロッド
７              薬剤
１１            薬剤滴下塗布器
１２            逆動防止ピストン
１３            押圧ピストン
１５            キャップ
１６ａ，１６ｂ  切断線
１７            閉鎖部
１８            溝（連通部）
１９            孔（連通部）
【図１】
0003892253.tif 000002
【図２】
0003892253.tif 000003
【図３】
0003892253.tif 000004
【図４】
0003892253.tif 000005